(57)【要約】      （修正有）【課題】外部風速が無い状態、あるいは、重力換気の中性帯以上の高さにおいても、省エネ化を図りながら自然通風の効果を高めることができ、しかも、ペリメータゾーンでの夏期の温熱排出及び冬期の冷熱排出を簡単な構造で達成する。【解決手段】外気取入れ口６に連通する外気取入れチャンバー７に、ペリメータゾーンＲＰに開口する通気口１０と、自然通風時の風量を補う正逆転切替可能なアシストファン１２と、風路を切り替える風路切替手段１１とを設けて、自然通風状態において、外気取入れ口６からの導入外気をアシストファン１２で室内のインテリアゾーンＲＩに送風する状態と、ペリメータゾーンＲＰの冷気を通気口１０からアシストファン１２で吸引する状態と、外気取入れチャンバー７内の空気をアシストファン１２で通気口１０からペリメータゾーンＲＰに送風する状態とに切替可能に構成してある。【選択図】図２
2015194290.tif 000002
【特許請求の範囲】
【請求項１】
外気取入れ口から外気取入れチャンバー内に導入した外気を室内のインテリアゾーンに供給する建物の換気システムにおいて、
前記外気取入れチャンバーに、室内のペリメータゾーンに開口する通気口と、
自然通風時の風量を補う正逆転切替可能なアシストファンと、
前記外気取入れ口と前記通気口及び前記アシストファンとの間での風路を切り替える風路切替手段とを設けて、
自然通風状態において、前記外気取入れ口からの導入外気を前記アシストファンで室内のインテリアゾーンに送風する状態と、
前記ペリメータゾーンの冷気を前記通気口から前記アシストファンで吸引する状態と、
前記外気取入れチャンバー内の空気を前記アシストファンで前記通気口からペリメータゾーンに送風する状態とに切替可能に構成してある建物の換気システム。
【請求項２】
前記外気取入れチャンバーが床下チャンバーに連通され、前記外気取入れ口から外気取入れチャンバー内に導入した外気を前記床下チャンバーを介して室内のインテリアゾーンに供給する構成にしてある請求項１記載の建物の換気システム。
【請求項３】
前記外気取入れチャンバーと室内とを区画形成する窓下カウンターの上面に前記通気口が形成され、前記通気口よりも室内のインテリアゾーン側の位置において上方に引き出し操作可能で、且つ、その引き出し操作された高さ領域において窓面との間でペリメータゾーンを区画する遮蔽手段が設けられている請求項１又は２記載の建物の換気システム。
【請求項４】
前記風路切替手段が、前記アシストファンと通気口との間の第１風路を開閉する第１ダンパーと、前記第１風路に連通する外気取入れ口側の第２風路を開閉する第２ダンパーとから構成され、少なくとも第１ダンパーの一部が、風路開放時に第１風路の一部を区画形成する区画壁に兼用構成されている請求項１，２又は３記載の建物の換気システム。
【発明の詳細な説明】
【技術分野】
【０００１】
本発明は、オフィスビル、複合商業施設等の建物での自然通風を利用した換気システムで、特に、外気取入れ口から外気取入れチャンバー内に導入した外気を室内のインテリアゾーンに供給する建物の換気システムに関する。
【背景技術】
【０００２】
この種の換気システムとして、外気取入れチャンバーを床下チャンバーに連通して、外気取入れ口から外気取入れチャンバー内に導入した外気を床下チャンバーを介して室内のインテリアゾーンに供給する構成にしたものが提案されている。
【０００３】
この換気システムでは、例えば、建物の外壁等に形成されている外気取入れ口から導入した外気を、室内空気を攪拌しないように床から低速で吹き出して、室内空気を徐々に押し上げ、天井側排気口から排気することにより、室内空気を置換換気することができる。
【０００４】
そして、中間期において自然通風による換気冷却を行う場合、快適性を確保しながら自然通風による室内冷却効果を高めることが要望されているものの、まだ、以下の問題があった。
すなわち、風力換気の場合には外部風速、重力換気の場合には中性帯の影響により、自然通風量が少なくなる事態が発生することがある。このような自然通風量の不足現象が発生すると、室内の外気取入れ口側（ペリメータゾーン側）付近が局部的に冷却され、室内奥側では有効に冷却できないため、快適性を確保することができなかった。
【０００５】
また、空調システムではあるが、床下チャンバーと外気取入れ口とに連通する外気取入れチャンバーに、ペリメータゾーンに開口する通気口を形成し、外気取入れチャンバー内には、通気口から窓際に沿って空気を吹き出す機能と床下チャンバーに向けて空気を吹き出す機能とを備え、且つ、空調空気（冷風、温風）を生成するための熱交換コイルを備えたペリメータ空調機を設置する。さらに、外気取入れ口に通じる通風路を開閉可能で、且つ、外気取入れ口から取り入れられた外気の導入先をペリメータ空調機と通気口との間で切り替え可能なダンパーを設けた空調システムが提案されている（例えば、特許文献１参照）。
【０００６】
この空調システムでは、中間期の昼間において、室内のインテリアゾーンの空調を受け持つ床吹出空調機の冷房運転を適宜停止させるとともに、ダンパーを「開」状態に操作して外気の導入先をペリメータ空調機に切り換え、自然換気を併用した冷房モードに切り替え可能に構成されている。
【先行技術文献】
【特許文献】
【０００７】
【特許文献１】特開２０００−２６６３６３号公報
【特許文献２】特開平９−１２６４９２号公報
【発明の概要】
【発明が解決しようとする課題】
【０００８】
上述の空調システムでは、自然換気を併用した冷房モードにおいて、外気取入れ口から導入した外気をペリメータ空調機に導き、ペリメータ空調機の内部に設けた送風機を一定回転で駆動した場合には、自然通風量に相当する無駄な電力消費が発生する。
【０００９】
また、ペリメータ空調機の送風機を停止させた場合には、風力換気での外部風速や重力換気での中性帯の影響、さらには、ペリメータ空調機の機内圧力損失により、自然通風量が少なくなる事態が発生し、上述のように局部的な冷却や冷却不足によって快適性を確保することができない。
【００１０】
しかも、床下チャンバーと外気取入れ口とに連通する外気取入れチャンバー内に、通気口から窓際に沿って空気を吹き出す機能と床下チャンバーに向けて空気を吹き出す機能とを備え、且つ、空調空気（冷風、温風）を生成するための熱交換コイルを備えたペリメータ空調機を設置するため、外気取入れチャンバーの内部構造が複雑化、大型化し、且つ、機内圧力損失が大きくなる不都合がある。
【００１１】
特に、上述の特許文献１では、ペリメータ空調機の送風機関係の構造については記載も図示も無いが、通気口から窓際に沿って空気を吹き出す機能と床下チャンバーに向けて空気を吹き出す機能とを達成するにあたって、例えば、送風機からの送風経路を切り換える構造、あるいは、特許文献２に示すように、各機能を各別に発揮する専用の二台の送風機を設ける構造のいずれを採用しても、外気取入れチャンバーの内部構造の複雑化、大型化が助長される問題があった。
【００１２】
本発明は、上述の実状に鑑みて為されたものであって、その主たる課題は、外部風速が無い状態、あるいは、重力換気の中性帯以上の高さにおいても、省エネ化を図りながら自然通風の効果を高めることができ、しかも、ペリメータゾーンでの夏期の温熱排出及び冬期の冷熱排出を簡単な構造で達成することのできる建物の換気システムを提供する点にある。
【課題を解決するための手段】
【００１３】
本発明による第１の特徴構成は、外気取入れ口から外気取入れチャンバー内に導入した外気を室内のインテリアゾーンに供給する建物の換気システムにおいて、
前記外気取入れチャンバーに、室内のペリメータゾーンに開口する通気口と、
自然通風時の風量を補う正逆転切替可能なアシストファンと、
前記外気取入れ口と前記通気口及び前記アシストファンとの間での風路を切り替える風路切替手段とを設けて、
自然通風状態において、前記外気取入れ口からの導入外気を前記アシストファンで室内のインテリアゾーンに送風する状態と、
前記ペリメータゾーンの冷気を前記通気口から前記アシストファンで吸引する状態と、
前記外気取入れチャンバー内の空気を前記アシストファンで前記通気口からペリメータゾーンに送風する状態とに切替可能に構成してある
点にある。
【００１４】
上記構成によれば、中間期には、風路切替手段により、外気取入れ口と外気取入れチャンバー内のアシストファンとが連通する状態に風路を切り替え、室内温度（もしくは室内エンタルピー）よりも低温（もしくは低いエンタルピー）の外気を自然通風状態で外気取入れ口から外気取入れチャンバーを経由して室内のインテリアゾーンに供給することにより、室内空気を換気しながら冷却することができる。
【００１５】
この中間期の自然通風による冷却時において、風力換気の場合には外部風速、重力換気の場合には中性帯の影響により、自然通風量が少なくなる事態が発生した場合でも、外気取入れチャンバーには自然通風時の風量を補うアシストファンが設けられているので、このアシストファンの正転駆動によって不足風量を補うことができ、安定性のある自然通風によって室内の局部冷却や冷却不足を抑制することができる。
【００１６】
また、夏期には、風路切替手段により、通気口と外気取入れチャンバー内のアシストファンとが連通する状態に風路を切り替えるとともに、アシストファンを逆転駆動すると、外気取入れチャンバー内の空気が通気口からペリメータゾーンに送風され、この送風に伴ってペリメータゾーン側の温熱が下方から押し上げられて天井側から排出される。そのため、自然通風を補うアシストファンを利用して窓面からの温熱負荷を処理することができる。
【００１７】
さらに、冬期には、風路切替手段により、通気口と外気取入れチャンバー内のアシストファンとが連通する状態に風路を切り替えるとともに、アシストファンを正転駆動すると、ペリメータゾーン側の冷気が通気口から外気取入れチャンバー内に吸引される。この外気取入れチャンバー内に吸引された冷気は室内のインテリアゾーンに供給されるので、室内に供給された冷気による温度低下は微小となり、室内の快適性を維持しながら自然通風を補うアシストファンを利用して窓面からの冷熱負荷を処理することができる。
【００１８】
したがって、風力換気の場合の外部風速が無い状態、或いは、重力換気の場合の中性帯以上の高さにおいても、自然通風時の風量を補うアシストファンにより自然通風の効果を高めることができ、快適性を確保しながら冷却効果を高めることができる。
【００１９】
しかも、アシストファンを正逆転切替可能にしてペリメータゾーンに対するエアフローファンを兼用させることにより、この一つのアシストファンの正逆転切替及び風路切替手段の風路切替によって、ペリメータゾーンでの夏期の温熱排出及び冬期の冷熱排出を簡単な構造で達成することができる。且つ、熱交換コイルを備えたペリメータ空調機を設置する場合に比較して機内圧力損失を小さくすることができので、換気システムの省スペース化と省エネ化を図りながら快適性を高めることができる。
【００２０】
本発明による第２の特徴構成は、前記外気取入れチャンバーが床下チャンバーに連通され、前記外気取入れ口から外気取入れチャンバー内に導入した外気を前記床下チャンバーを介して室内のインテリアゾーンに供給する構成にしてある点にある。
【００２１】
上記構成によれば、中間期には、風路切替手段により、外気取入れ口と外気取入れチャンバー内のアシストファンとが連通する状態に風路を切り替え、室内温度（もしくは室内エンタルピー）よりも低温（もしくは低いエンタルピー）の外気を自然通風状態で外気取入れ口から外気取入れチャンバーを経由して床下チャンバー内に導入する。この床下チャンバー内に流入した外気を室内に分配供給し、室内空気を置換換気しながら冷却することができる。
【００２２】
それ故に、風力換気の場合の外部風速が無い状態、或いは、重力換気の場合の中性帯以上の高さにおいても、自然通風時の風量を補うアシストファンにより自然通風の効果を高めることができ、且つ、外気が床下チャンバーを介して室内に分配供給されるため、外気による室内冷却が局部的にならず、快適性を確保しながら冷却効果を高めることができる。
【００２３】
さらに、冬期において、通気口から外気取入れチャンバー内に吸引されたペリメータゾーン側の冷気は、床下チャンバーを介して室内に分配供給されるので、室内に供給された冷気による温度低下は微小となり、室内の快適性を維持しながら自然通風を補うアシストファンを利用して窓面からの冷熱負荷を処理することができる。
【００２４】
本発明による第３の特徴構成は、前記外気取入れチャンバーと室内とを区画形成する窓下カウンターの上面に前記通気口が形成され、前記通気口よりも室内のインテリアゾーン側の位置において上方に引き出し操作可能で、且つ、その引き出し操作された高さ領域において窓面との間でペリメータゾーンを区画する遮蔽手段が設けられている点にある。
【００２５】
上記構成によれば、下方から上方に引き出し操作されるクライマー式の遮蔽手段によって直射日光を遮蔽しながら窓上部から良好に採光することができる。
しかも、この遮蔽手段は、窓下カウンターの上面に形成された通気口よりも室内のインテリアゾーン側の位置において上方に引き出し操作可能であり、且つ、その引き出し操作された高さ領域において窓面との間でペリメータゾーンを区画するから、ペリメータゾーンでの夏期の温熱及び冬期の冷熱を室内のインテリアゾーン側への拡散流出を抑制しながらアシストファンにて効率良く排出することができる。
【００２６】
本発明による第４の特徴構成は、前記風路切替手段が、前記アシストファンと通気口との間の第１風路を開閉する第１ダンパーと、前記第１風路に連通する外気取入れ口側の第２風路を開閉する第２ダンパーとから構成され、少なくとも第１ダンパーの一部が、風路開放時に第１風路の一部を区画形成する区画壁に兼用構成されている点にある。
【００２７】
上記構成によれば、中間期には、風路切替手段の第１ダンパーを閉操作するとともに、第２ダンパーを開操作することにより、外気取入れ口とアシストファンとを連通する第２風路が開放され、室内温度（もしくは室内エンタルピー）より低温（もしくは低いエンタルピー）の外気を自然通風状態で外気取入れ口から外気取入れチャンバーを経由して床下チャンバー内に導入することができる。
【００２８】
また、夏期又は冬期においては、風路切替手段の第１ダンパーを開操作するとともに、第２ダンパーを閉操作することにより、通気口とアシストファンとを連通する第１風路が開放され、アシストファンの逆転又は正転駆動により、床下チャンバー内の空気が通気口からペリメータゾーンに送風される、又は、ペリメータゾーン側の冷気が通気口から外気取入れチャンバー内に吸引される。
【００２９】
そして、少なくとも第１ダンパーの一部が、風路開放時に第１風路の一部を区画形成する区画壁に兼用構成されているので、外気取入れチャンバーの内部構造の簡素化を図ることができる。
【図面の簡単な説明】
【００３０】
【図１】本発明の第１実施形態を示すオフィスビルの断面斜視図
【図２】中間期の運転状態を示すオフィスビルの断面図
【図３】夏期の運転状態を示すオフィスビルの断面図
【図４】冬期の運転状態を示すオフィスビルの断面図
【図５】本発明の第３実施形態を示すオフィスビルの断面斜視図
【図６】本発明の第４実施形態を示すオフィスビルの要部の断面図
【発明を実施するための形態】
【００３１】
〔第１実施形態〕
図１〜図４は、建物の一例であるオフィスビルの換気システムを示し、床スラブ１の上方にフリーアクセスフロア２が配置され、このフリーアクセスフロア２と床スラブ１との間に床下チャンバー３が形成されているとともに、フリーアクセスフロア２の複数個所には、室内ＲのインテリアゾーンＲＩに吹き出し可能な床吹き出し口４が形成されている。
【００３２】
床下チャンバー３の窓下側部位には、外壁部５に開口形成された外気取入れ口６と床下チャンバー３とを連通する外気取入れチャンバー７が形成され、この外気取入れチャンバー７と室内Ｒとを区画形成する窓下カウンター８の上面８ａには、窓部Ｗ側のペリメータゾーンＲＰと外気取入れチャンバー７とを上下方向から連通する通気口１０が形成されている。
【００３３】
外気取入れチャンバー７内には、自然通風時の風量を補う正逆転切替可能なアシストファン１２が配置され、このアシストファン１２と外気取入れ口６及び通気口１０との間での風路を切り替える風路切替手段１１と、が設けられている。
【００３４】
アシストファン１２は、正逆転切替によって吸気部と排気部とが逆転する軸流ファン等から構成され、このアシストファン１２に連動されたファンモータ１３を制御部１４からの制御信号に基づいて正逆転を切り替えることにより、正転時には、外気取入れ口６から吸引した外気又は通気口１０から吸引したペリメータゾーンＲＰ側の空気を床下チャンバー３側に向かって送風し、逆転時には、床下チャンバー３内の空気を吸引して通気口１０からペリメータゾーンＲＰ側に向かって上方に送風する。
【００３５】
また、アシストファン１２は、前記制御部１４からの制御信号に基づくファンモータ１３の回転数制御により、自然通風時の設定風量に相当する送風量が得られる設定最大回転数から送風量がゼロとなる回転停止の状態までの間において、複数の送風量を現出する回転数に段階的又は連続的に変更可能に構成されている。
【００３６】
風路切替手段１１は、アシストファン１２と通気口１０との間の第１風路１６を開閉する電動式の第１ダンパー１１Ａと、第１風路１６に連通する外気取入れ口６側の第２風路１７を開閉する電動式の第２ダンパー１１Ｂとから構成され、前記制御部１４からの制御信号により第１ダンパー１１Ａ及び第２ダンパー１１Ｂが開閉作動される。
【００３７】
そして、図２に示すように、風路切替手段１１の第１ダンパー１１Ａを閉作動させるとともに、第２ダンパー１１Ｂを開作動させることにより、外気取入れ口６とアシストファン１２とを連通する第２風路１７が開放され、自然通風時に、外気取入れ口６から取り入れられた外気が外気取入れチャンバー７内の第２風路１７及びアシストファン１２を経由して床下チャンバー３に流入案内される。
【００３８】
また、図３、図４に示すように、風路切替手段１１の第１ダンパー１１Ａを開作動させるとともに、第２ダンパー１１Ｂを閉作動させることにより、通気口１０とアシストファン１２とを連通する第１風路１６が開放される。
【００３９】
第１風路１６が開放されているときには、通気口１０から流入したペリメータゾーンＲＰの空気を外気取入れチャンバー７内の第１風路１６及びアシストファン１２を経由して床下チャンバー３に流入案内する状態と、床下チャンバー３内の空気を外気取入れチャンバー７内のアシストファン１２及び第１風路１６を経由して通気口１０からペリメータゾーンＲＰ側に送風案内する状態とを選択的に現出することができる。
【００４０】
第１ダンパー１１Ａのダンパー羽根１１ａは、第１風路１６の横断方向一端部を支点として揺動することにより、第１風路１６を全開する縦向きの開き姿勢と第１風路１６を全閉する横向きの閉じ姿勢とに切り換えられる。
【００４１】
この第１ダンパー１１Ａのダンパー羽根１１ａは、風路開放時の縦向きの開き姿勢において第１風路１６の一部を区画形成する区画壁に兼用構成され、さらに、風路閉止時の横向きの閉じ姿勢においては、第２風路１７の一部を区画形成する区画壁に兼用構成されている。
【００４２】
床下チャンバー３のアシストファン１２側には、外気の自然通風量とアシストファン１２による機械式通風量との合計風量を単位時間（秒単位又は分単位）毎に計測する風量センサ１８が設けられ、この風量センサ１８の検出信号は前記制御部１４に出力されている。
【００４３】
この制御部１４では、中間期の自然通風時に、風量センサ１８の計測風量が自然通風時の設定風量となるように、アシストファン１２のファンモータ１３の回転数（回転停止状態から設定最大回転数までの範囲）を制御し、設定風量に不足する風量をアシストファン１２で補う。
【００４４】
また、窓下カウンター８の通気口１０よりも室内ＲのインテリアゾーンＲＩ側に少し偏った位置において上方に引き出し操作可能で、且つ、その引き出し操作（繰り出し操作）された高さ領域において窓面（窓ガラス面）Ｗａとの間でペリメータゾーンＲＰを区画する遮蔽手段Ａの一例である電動クライマー式のロールスクリーン２０が設けられている。
【００４５】
電動クライマー式のロールスクリーン２０としては種々の構造のものが存在するが、その一例を簡単に説明すると、窓下カウンター８内には、非通気性のスクリーン２０ａを繰り出し可能に巻き取ってある巻き取りロール機構２０ｂを配置するとともに、天井面２１側には、スクリーン２０ａの上端部に取付けられた昇降ワイヤー２０ｃを巻き上げる昇降モータ２０ｄを配置してある。
【００４６】
この電動クライマー式のロールスクリーン２０により、窓面Ｗａからの直射日光を遮蔽しながら窓面Ｗａの上側部から採光することができ、しかも、ペリメータゾーンＲＰでの夏期の温熱及び冬期の冷熱を室内ＲのインテリアゾーンＲＩ側への拡散流出を抑制しながらアシストファン１２にて効率良く排出することができる。
【００４７】
天井面２１における窓面Ｗａ側には、室内ＲのペリメータゾーンＲＰと天井裏空間２２とを連通する排気口２３が形成されている。この排気口２３は、夏期において、通気口１０からペリメータゾーンＲＰへの上向きの送風に伴って、窓面Ｗａを通して伝達されたペリメータゾーンＲＰ側の温熱を天井裏空間２２内に排出する。
【００４８】
また、天井面２１には、空調空気（温風、冷風）を生成して室内Ｒに供給する空調室内機２４の吹き出し部２４Ａと、室内ＲのインテリアゾーンＲＩと天井裏空間２２とを連通する連通口２５とが形成されている。
【００４９】
天井面２１の排気口２３及び連通口２５から天井裏空間２２内に流入した空気は空調室内機２４に還流空気として供給されたり、屋外に換気排出される。
【００５０】
尚、中間期の自然通風時（自然換気モード）においては、室内ＲのインテリアゾーンＲＩ内に流入した空気は、建物内に区画形成した竪穴部（ボイド）によるドラフト効果（所謂、煙突効果）を利用して屋外に排出したり、或いは、外壁部に形成された排気口等を通して屋外に排出される。
【００５１】
次に、上述の如く構成されたオフィスビルの換気システムの動作について説明する。
〔１〕先ず、中間期においては、図２に示すように、制御部１４からの制御信号により風路切替手段１１の第１ダンパー１１Ａを閉作動させ、且つ、第２ダンパー１１Ｂを開作動させ、外気取入れ口６とアシストファン１２とを連通する第２風路１７を開放する。
【００５２】
外部風速による自然通風時には、外気取入れ口６から取り込まれた室内温度（もしくは室内エンタルピー）よりも低温（もしくは低いエンタルピー）の外気が外気取入れチャンバー７内の第２風路１７及びアシストファン１２を経由して床下チャンバー３に流入案内される。
【００５３】
床下チャンバー３内に流入した外気は、フリーアクセスフロア２の複数個所に形成されている床吹き出し口４を通して室内ＲのインテリアゾーンＲＩに低速で吹き出し供給され、室内空気を徐々に押し上げ、天井面２１の連通口２５から天井裏空間２２内に排出することにより、室内空気を置換換気しながら室内Ｒを冷却することができる。
【００５４】
このとき、床下チャンバー３のアシストファン１２側に設けられた風量センサ１８で計測された風量が、自然換気時の設定風量の許容値内であれば、アシストファン１２を駆動停止状態に維持したまま、外部風速による自然通風を続ける。
【００５５】
風量センサ１８で計測された風量が設定風量の許容値よりも減少したと制御部１４で判断した場合には、その不足風量に相当する機械的通風量を得ることのできる回転数でファンモータ１３を駆動制御し、外部風速による自然通風量とアシストファン１２による機械式通風量との合計風量を設定風量の許容値内に近づける。
【００５６】
そのため、中間期の自然通風による冷却時において、自然通風量が少なくなる事態が発生した場合でも、アシストファン１２の正転駆動によって不足風量を補うことができるから、安定性のある自然通風によって室内Ｒの局部冷却や冷却不足を抑制し、快適性を確保することができる。
【００５７】
〔２〕夏期には、人為操作等による制御部１４からの制御信号により、図３に示すように、風路切替手段１１の第１ダンパー１１Ａを開作動させるとともに、第２ダンパー１１Ｂを閉作動させ、通気口１０とアシストファン１２とを連通する第１風路１６を開放する。
【００５８】
この第１風路１６が開放された状態において、制御部１４からの制御信号に基づいてアシストファン１２を逆転駆動すると、ペリメータゾーンＲＰ側の室内温度（もしくは室内エンタルピー）よりも低温（もしくは低いエンタルピー）状態にある床下チャンバー３内の空気がアシストファン１２で吸引され、且つ、第１風路１６を経由して通気口１０からペリメータゾーンＲＰ側に送風される。
【００５９】
この通気口１０から送風された空気が窓面Ｗａに沿って上昇流動し、ペリメータゾーンＲＰ側の温熱を下方から押し上げて天井面２１の排気口２３から天井裏空間２２内に排出することができ、窓面Ｗａからの温熱負荷を処理することができる。
【００６０】
〔３〕冬期には、人為操作等による制御部１４からの制御信号により、図４に示すように、風路切替手段１１の第１ダンパー１１Ａを開作動させるとともに、第２ダンパー１１Ｂを閉作動させ、通気口１０とアシストファン１２とを連通する第１風路１６を開放する。
【００６１】
この第１風路１６が開放された状態において、制御部１４からの制御信号に基づいてアシストファン１２を正転駆動すると、ペリメータゾーンＲＰ側の冷気を通気口１０から外気取入れチャンバー７の第１風路１６内に吸引することができる。
【００６２】
この第１風路１６内に吸引された冷気はアシストファン１２で床下チャンバー３に送風され、フリーアクセスフロア２の複数個所に形成されている床吹き出し口４から室内ＲのインテリアゾーンＲＩに分配供給される。
【００６３】
この室内Ｒへの分配供給によって冷気による温度低下は微小となり、室内Ｒの快適性を維持しながら窓面Ｗａからの冷熱負荷を処理することができる。
【００６４】
〔第２実施形態〕
上述の第１実施形態の図４の仮想線で示すように、外気取入れチャンバー７の第２風路１７に、外気取入れ口６から取り込まれた外気の自然通風量を単位時間（秒単位又は分単位）毎に計測する第２風量センサ２８を設け、この第２風量センサ２８の検出信号を前記制御部１４に出力する。
【００６５】
また、風路切替手段１１の第２ダンパー１１Ｂのダンパー羽根の開度を全閉から全開までの間において段階的又は無段階的に変更可能に構成し、第２風量センサ２８で計測された風量が、自然換気時の設定風量の許容値以上であると制御部１４において判断したとき、第２風量センサ２８の計測風量が設定風量の許容値内となるように第２ダンパー１１Ｂのダンパー羽根の開度を減少側に変更制御する。
【００６６】
〔第３実施形態〕
図５は、遮蔽手段Ａの別実施形態を示し、上述の第１実施形態で説明した電動クライマー式のロールスクリーン２０のスクリーン２０ａを、多数のスラット３０Ａを昇降操作及び角度調節操作可能な横型のブラインド部３０と、このブラインド部３０のボトムレール３０Ｂに取付けられるロールスクリーン部３１とから構成したものである。
【００６７】
ロールスクリーン部３１は、少なくともコールドドラフトの拡散防止に有効な高さ範囲（例えば、３００ｍｍ程度）に展開可能な長さに構成されている。
【００６８】
尚、その他の構成は、第１実施形態で説明した構成と同一であるから、同一の構成箇所には、第１実施形態と同一の番号を付記してそれの説明は省略する。
【００６９】
〔第４実施形態〕
図６は風路切替手段１１の別実施形態を示し、外気取入れチャンバー７の底部側の水平軸芯周りでの揺動により、アシストファン１２と通気口１０との間の第１風路１６を遮断する第１閉じ状態と、アシストファン１２と外気取入れ口６との間の第２風路１７を遮断する第２閉じ状態とに切替可能な一つの電動式のダンパー３５から構成してある。
【００７０】
そして、図６（ａ）に示すように、ダンパー３５を第１閉じ状態に作動させることにより、外気取入れ口６とアシストファン１２とを連通する第２風路１７が開放され、自然通風時に、外気取入れ口６から取り入れられた外気が外気取入れチャンバー７内の第２風路１７及びアシストファン１２を経由して床下チャンバー３に流入案内される。
【００７１】
また、図６（ｂ）に示すように、ダンパー３５を第２閉じ状態に作動させることにより、通気口１０とアシストファン１２とを連通する第１風路１６が開放される。
【００７２】
第１風路１６が開放されているときには、通気口１０から流入したペリメータゾーンＲＰの空気を外気取入れチャンバー７内の第１風路１６及びアシストファン１２を経由して床下チャンバー３に流入案内する状態と、床下チャンバー３内の空気を外気取入れチャンバー７内のアシストファン１２及び第１風路１６を経由して通気口１０からペリメータゾーンＲＰ側に送風案内する状態とを選択的に現出することができる。
【００７３】
尚、その他の構成は、第１実施形態で説明した構成と同一であるから、同一の構成箇所には、第１実施形態と同一の番号を付記してそれの説明は省略する。
【００７４】
〔その他の実施形態〕
（１）上述の実施形態では、風路切替手段１１を一つ又は複数のダンパーから構成したが、一つ又は複数のシャッター等から構成してもよい。
また、風路切替手段１１としては、電動部が１箇所で２箇所のダンパーを開閉できるものを含む。
さらに、風路切替手段１１に用いられるダンパーとしては、強風時に自動的に閉止状態に切替作動するものを含む。
要するに、風路切替手段１１としては、アシストファン１２と外気取入れ口６及び通気口１０との間での風路を切り替えることのできるものであれば、いかなる構造のものを用いてもよい。
【００７５】
（２）上述の第１実施形態では、窓面（窓ガラス面）Ｗａとの間でペリメータゾーンＲＰを区画する遮蔽手段Ａの一例である電動クライマー式のロールスクリーン２０を用いたが、手動クライマー式のロールスクリーン２０を用いてもよい。
【００７６】
（３）遮蔽手段Ａとして、上方から下方に向かって繰り出されるロールスクリーン又はブラインドから構成してもよい。
【００７７】
（４）上述の第１実施形態では、冬期において、ペリメータゾーンＲＰ側の冷気を通気口１０からアシストファン１２で吸引し、この吸引された冷気を床下チャンバー３に送風するように構成したが、アシストファン１２で吸引した冷気を外気取入れ口６又は他の部位から屋外に排出してもよい。
【００７８】
（５）上述の第１実施形態では、アシストファン１２として、回転停止状態と複数の回転数とに切替可能に構成したものを用いたが、回転停止状態と特定の回転数とに切替可能に構成してあるものを用いてもよい。
この場合は、自然通風時の設定風量に維持できない可能性はあるが、アシストファン１２の駆動によって不足する風量を補うことができる。
【００７９】
（６）上述の第１実施形態では、外気取入れチャンバー７を床下チャンバー３に連通して、外気取入れチャンバー７内に導入した外気を床下チャンバー３を介して室内ＲのインテリアゾーンＲＩに供給するように構成したが、床下チャンバー３が形成されていない場合には、導入した外気を外気取入れチャンバー７から室内ＲのインテリアゾーンＲＩに供給するように構成してもよい。
【産業上の利用可能性】
【００８０】
以上説明したように、本発明の換気システムは、オフィスビル、商業ビル、複合商業施設、マンション、戸建住宅等の建物において、風力換気又は重力換気を用いた換気システムとして有効に適用することができる。
【符号の説明】
【００８１】
Ａ          遮蔽手段
Ｒ          室内
ＲＰ        ペリメータゾーン
ＲＩ        インテリアゾーン
３          床下チャンバー
６          外気取入れ口
７          外気取入れチャンバー
８          窓下カウンター
１０        通気口
１１        風路切替手段
１１Ａ      第１ダンパー
１１Ｂ      第２ダンパー
１２        アシストファン
１６        第１風路
１７        第２風路
【図１】
2015194290.tif 000003
【図２】
2015194290.tif 000004
【図３】
2015194290.tif 000005
【図４】
2015194290.tif 000006
【図５】
2015194290.tif 000007
【図６】
2015194290.tif 000008